(57)【要約】      （修正有）【課題】屋内外で使用できる生活防水仕様で、絵柄模様の発光機能を有する耐久性の携帯用表示具を提供する。【解決手段】全体として筐体形状を成し、光を散乱させる模様を導光板に彫刻又は印刷した表示プレートと、表示プレートの端面に光を照射する光源部、光源部の点灯パターンを制御する制御部、及び光源部へ電気を供給する電気供給部が搭載された発光機能を有する携帯用表示具。表示プレートは絵柄や文字等の意匠パターンの変更が容易であり、照射する光の色や点灯パターンを任意に制御するスイッチを有する。筐体は、表示プレートや光源部、制御部、電気供給部の着脱または取替えのため開閉仕様でありながら生活防水または簡易防水仕様である。【選択図】図３
0003139337.tif 000002
【実用新案登録請求の範囲】
【請求項１】
全体として筐体形状を成し、光を散乱させる模様を導光板に彫刻または印刷した表示プレートと、前記表示プレートの端面に光を照射する光源部、前記光源部の点灯パターンを制御する制御部、及び前記光源部へ電気を供給する電気供給部が搭載された発光機能を有する携帯用表示具。
【請求項２】
前記表示プレートは着脱可能であり、絵柄または文字等の意匠パターンの変更が容易であることを特徴とする請求項１記載の発光機能を有する携帯用表示具。
【請求項３】
前記光源部の光源は表面実装型の発光ダイオードであり、その頭部が前記表示プレートの端面に臨むように搭載され、表示プレートへ照射する光の色を切り替えることを特徴とする請求項１または請求項２記載の発光機能を有する携帯用表示具。
【請求項４】
前記光源部は、前記制御部に搭載するプリント基板の電子回路を介して点灯パターンを制御することを特徴とする請求項１ないし請求項３のいずれかに記載の発光機能を有する携帯用表示具。
【請求項５】
前記電気供給部は、内蔵させたボタン電池などの一次電池による給電、または外部からの電源アダプタによる給電、または内蔵させた二次電池に電源アダプタによる充電電力による給電を特徴とする請求項１ないし請求項４のいずれかに記載の発光機能を有する携帯用表示具。
【請求項６】
前記電気供給部の電源を入切する、及び前記点灯パターンを変更及び選択する制御信号を送出するスイッチを有することを特徴とする請求項１ないし請求項５のいずれかに記載の発光機能を有する携帯用表示具。
【請求項７】
前記筐体は、前記表示プレートや光源部、制御部及び電気供給部の着脱又は取替えのため開閉仕様でありながら、生活防水または簡易防水構造であることを特徴とする請求項１ないし請求項６のいずれかに記載の発光機能を有する携帯用表示具。
【請求項８】
前記筐体はストラップ、吊下げ用紐及びクリップなどの携帯用の取付け孔を有することを特徴とする請求項１ないし請求項７のいずれかに記載の発光機能を有する携帯用表示具。
【考案の詳細な説明】
【技術分野】
【０００１】本考案は発光機能を有する携帯用表示具に関する。ここでいう発光機能とは光を散乱させる模様を導光板に形成し光を照射することにより模様を発光させるものとする。またここでいう携帯用表示具とはバッジ・ワッペン・名札・カード・ネックストラップなどの装身具の他、自転車・車椅子・乳母車・手押し車などの移動用装置や鞄・バッグ・傘・杖などの携帯用物品に付設可能な表示具を総称するものとする。
【背景技術】
【０００２】従来の発光機能を有する携帯用表示具は、表示具の表面の一部分に発光体を点滅又は点灯させる電子回路を組み込み、発光体が光ることで表示具の表面の絵柄または文字の模様に変化を与えることを目的としていた。しかしながら絵柄または文字等の模様の一部分が光るだけの視認はできるが、絵柄または文字の内容が認識できないという欠点があった。（特許文献１、特許文献２）
【特許文献１】特開平５−３３７００３号公報
【特許文献２】特開２００１−７００１４号公報
【０００３】インテリア、装飾品、案内表示、広告、各種ディスプレイ等として使用する表示装置において、透明な樹脂プレートを導光板としてこの導光板の板面に彫刻等により凹凸をつけて模様を形成し、導光版の端面から光を照射することによりこの模様を発光させる技術は周知である。（例えば特許文献３）但し携帯用として使用可能なコンパクトで防水仕様の表示装置は皆無であった。
【特許文献３】特開平８−２０２３００号公報
【考案の開示】
【考案が解決しようとする課題】
【０００４】本考案は上記課題を解決し、表示プレートの意匠パターンや照射する光の色及び点灯パターンを容易に変更可能で、かつコンパクトで防水機能を有する携帯用発光表示具を提供するものである。
【課題を解決するための手段】
【０００５】上記課題を解決するべく鋭意検討し、本考案は表示プレートの意匠パターンや照射する光の色及び点灯パターンを容易に変更可能で、かつコンパクトで防水機能を有する携帯用発光表示具を提供する。【０００６】より具体的には
１．全体として筐体形状を成し、光を散乱させる模様を導光板に彫刻又は印刷した表示プレートと、前記表示プレートの端面に光を照射する光源部、前記光源部の点灯パターンを制御する制御部、及び前記光源部へ電気を供給する電気供給部が搭載された発光機能を有する携帯用表示具。【０００７】２．前記表示プレートは着脱可能であり、絵柄や文字等の意匠パターンの変更が容易であることを特徴とする上記１記載の発光機能を有する携帯用表示具。【０００８】３．前記光源部の光源は表面実装型の発光ダイオードであり、その頭部が前記表示プレートの端面に臨むように搭載され、表示プレートへ照射する光の色を切り替えることを特徴とする上記１または上記２記載の発光機能を有する携帯用表示具。【０００９】４．前記光源部は、前記制御部に搭載するプリント基板の電子回路を介して点灯パターンを制御することを特徴とする上記１ないし上記３のいずれかに記載の発光機能を有する携帯用表示具。【００１０】５．前記電気供給部は、内蔵させたボタン電池などの一次電池による給電、または外部からの電源アダプタによる給電、または内蔵させた二次電池に電源アダプタによる充電電力による給電を特徴とする上記１ないし上記４のいずれかに記載の発光機能を有する携帯用表示具。【００１１】６．前記電気供給部の電源を入切する、及び前記点灯パターンを変更、選択する制御信号を送出するスイッチを有することを特徴とする上記１ないし上記５のいずれかに記載の発光機能を有する携帯用表示具。【００１２】７．前記筐体は、前記表示プレートや光源部、制御部及び電気供給部の着脱又は取替えのため開閉仕様でありながら、生活防水または簡易防水構造であることを特徴とする上記１ないし上記６のいずれかに記載の発光機能を有する携帯用表示具。【００１３】８．前記筐体はストラップ、吊下げ用紐及びクリップなどの携帯用の取付け孔を有することを特徴とする上記１ないし上記７のいずれかに記載の発光機能を有する携帯用表示具。
【考案の効果】
【００１４】本考案によれば、表示プレートの意匠パターンや照射する光の色及び点灯パターンを容易に変更可能で、かつコンパクトで防水機能を有する携帯用発光表示具が得られる。また発光ダイオードを光源としているため消費電力の省力化に優れ、携帯用として長時間の使用に適している。前記携帯用取付け孔からクリップ又はストラップを介すことにより容易に装身が可能であり携帯用物品にも付設可能である。
従って本考案の携帯用表示具を装身または付設することにより、例えば学童、高齢者、ジョギング走者、散歩者等の夜間や雨天時の交通事故防止、あるいは企業ＰＲ、商品ＰＲ、観光ＰＲ、イベントＰＲ等の広告宣伝等に非常に有効である。
【考案を実施するための最良の形態】
【００１５】本考案の筐体の材質は特に限定されるものではなく、ポリプロピレンやポリエチレンテレフタレート等のあらゆる一般的プラスチック材料を含む。また導光板となる表示プレートの材料としては屈折率が高い透明材料であるメタクリル樹脂やポリカーボネート樹脂等が好ましく、樹脂板又は成形材のいずれかであってよい。前記導光板に光を散乱させる模様を付する方法については、彫刻、印刷、または射出成形等があげられる。彫刻についてはルーター彫刻、ブラスト彫刻、レーザー彫刻等のいずれかであってよく、大量生産においては絵柄や文字入りの金型を作成し射出成形で製造することが望ましい。また光散乱物質を含むフィルムを切り抜くなどして表示要素を構成し表示プレートに貼り付けることによっても同様の効果が得られる。また前記表示プレートは絵柄や文字等の意匠パターンの変更を容易にするべく着脱可能に支持するため、前記筐体への嵌め込み式形状を特徴とする。【００１６】前記光源部の光源は表面実装型の発光ダイオードであり、その種類、数量及び色は任意である。また前記表示プレートへ照射する方向は任意であり一方向のみから四方向まで適宜設定する。前記表示プレートへ照射する点灯パターンについては、常時点灯、点滅、グラデーション及び前記３種の組合せのいずれかであってよく、また点滅、グラデーションについてはその速度も自由に設定可能である。前記点灯パターン数種類を前記プリント基板の電子回路に記憶させ電源スイッチを介して点灯制御することが容易である。例えば電源入、高速点滅、低速点滅、グラデーション、電源切の順に、製品の用途や特質に合わせて任意の構成が可能である。【００１７】前記表示プレートの端面から照射した光の外部への漏洩を抑止し光散乱効果を上げるため、照射しない端面の全てに微細なマイクロプリズム層または反射層を施すことが効果的である。これにより照射した光はランダムな反射を繰り返し、装飾効果を高めることができる。【００１８】前記電気供給部は、内蔵させたボタン電池などの一次電池による給電、または外部からの電源アダプタによる給電、または内蔵させた二次電池に電源アダプタによる充電電力による給電のいずれかであってよい。【００１９】生活防水または簡易防水構造を実現するため、前記筐体と前記表示プレートの接合部及び前記筐体の開閉の際の接合部に防水性シール部材または防水性ゴムパッキンを装着する。これにより筐体内装部品が雨水等の水分の浸潤から免れる。【００２０】前記電源スイッチは、筐体の外部から操作可能な防水構造の手段が設けられている。筐体の一部をスイッチ押ボタンの用をなす形状とし、更に押ボタン周辺の筐体壁の厚みや形状を最適化することにより金属ダイヤフラム様の繰り返し可能な反発屈曲性を保持させ、スイッチ本体のバネと連動する外部操作可能な防水スイッチが実現できる。またはスイッチ部に防水性シール部材等を装着し外部からの操作を可能にする。これらにより生活防水または簡易防水構造の携帯用照明表示具が実現できる。
【実施例】
【００２１】筐体にポリプロピレン、導光板となる表示プレートにメタクリル樹脂の射出成形材料を使用し、レーザー彫刻により絵柄及び文字を彫刻した。光源部の光源は赤、緑、青の発光ダイオードを３個使用し、一方向のみの照射とした。表示プレートの照射しない三方向の端面全てにマイクロプリズム加工を施し、電気供給部には３Ｖリチウム電池２個を付設した。生活防水構造を実現するため、前記筐体と前記表示プレートの接合部及び前記筐体の開閉の際の接合部に防水性ゴムパッキンを装着した。これにより屋内外で使用できる生活防水仕様で、絵柄模様の発光機能を有する耐久性の携帯用表示具が完成した。「図１」「図２」「図３」【００２２】完成した携帯用表示具は、規格がタテ約５０ｍｍヨコ約５５ｍｍ厚み約１０ｍｍとコンパクトな形状で、電池を含む総重量が約２０ｇと非常に軽量であった。また夜間晴天時の使用で遠方約３００ｍの距離から視認可能で、連続使用約７２時間と長時間の使用が可能であった。またスイッチ部及び筐体開閉部の屈曲耐久性は約１０万回であった。
【産業上の利用可能性】
【００２３】本考案の携帯用発光表示具を装身または付設することにより、例えば学童、高齢者、ジョギング走者、散歩者等の夜間、早朝や雨天時の交通事故防止、地域の防犯、あるいは企業ＰＲ、商品ＰＲ、観光ＰＲ、イベントＰＲ等の広告宣伝、及び各種パーティ用の遊戯具等に非常に有効である。
【図面の簡単な説明】
【００２４】実施例を具体的図面にて以下に説明する。
【図１】正面斜視図
【図２】背面図
【図３】断面斜視図
【図１】
0003139337.tif 000003
【図２】
0003139337.tif 000004
【図３】
0003139337.tif 000005